(57)【要約】【課題】  高い精度の視度調整を簡易な操作により可能としつつ、小型軽量化を実現する。【解決手段】画像表示装置は、表示素子を保持する表示素子保持部と、表示素子からの映像を体験者の視覚に導くための光学部と、視度調整のツマミを有する操作部とを有する。そして、この装置は、操作部と表示素子保持部との間の距離を可変に、且つ、表示素子保持部を操作部に向かう方向に押圧するように支持する支持部材と、操作部と表示素子保持部との間に設けられ、ツマミの操作に応じて回動可能な視度調整板とを有する。そして、操作部又は表示素子保持部は、視度調整板側と当接するための少なくとも３つの当接部を有する。更に、表示素子保持部の光学部に対する距離が予め設定した目的範囲で変動させるため、視度調整板における、回動する当接部それぞれと当接する領域が、目的範囲に対応する厚みを有する。【選択図】  図３
2018106000.tif 000002
【特許請求の範囲】
【請求項１】
表示素子を保持する表示素子保持部と、前記表示素子からの映像を体験者の視覚に導くための光学部と、視度調整のツマミを有する操作部とを有する頭部装着型の画像表示装置であって、
前記操作部と前記表示素子保持部との間の距離を可変に、且つ、前記表示素子保持部を前記操作部に向かう方向に押圧するように支持する支持部材と、
前記操作部と前記表示素子保持部との間に設けられ、前記ツマミの操作に応じて回動可能な視度調整板とを有し、
前記操作部又は前記表示素子保持部は、前記視度調整板側と当接するための少なくとも３つの当接部を有し、
前記表示素子保持部の前記光学部に対する距離が予め設定した目的範囲で変動させるため、前記視度調整板における、前記当接部それぞれと当接する回動する領域が、前記目的範囲に対応する厚みを有する
ことを特徴とする画像表示装置。
【請求項２】
前記光学部は、前記表示素子からの映像を拡大するプリズムであることを特徴とする請求項１に記載の画像表示装置。
【請求項３】
前記目的範囲は、２つ以上の段数で表されることを特徴とする請求項１又は２に記載の画像表示装置。
【請求項４】
前記目的範囲は、無段階で表されることを特徴とする請求項１又は２に記載の画像表示装置。
【請求項５】
前記ツマミに設けられ、当該ツマミの回転位置を固定するための部材を有することを特徴とする請求項４に記載の画像表示装置。
【請求項６】
前記操作部と前記表示素子保持部との間の距離を固定するための部材を有することを特徴とする請求項４に記載の画像表示装置。
【請求項７】
前記当接部は、
ボールベアリングと、
前記ボールベアリングを回転自在に収容すると共に前記ボールベアリングの一部を露出するための凹部と
を含むことを特徴とする請求項１乃至６のいずれか１項に記載の画像表示装置。
【発明の詳細な説明】
【技術分野】
【０００１】
本発明は，ＨＭＤに代表される、頭部装着が可能な画像表示装置に関するものである。
【背景技術】
【０００２】
液晶などの画像表示素子に表示された画像を、表示光学系を介して拡大表示させるＨＭＤ（Head Mounted Display）装置が良く知られている。この装置における、画像表示素子と表示光学系との間の間隔を適切に調整することで、ユーザに提示する表示視度を特定の値に調整する機構が知られている。
【先行技術文献】
【特許文献】
【０００３】
【特許文献１】特開平８−１５２５９１号公報
【特許文献２】特開２０００−３３００６９号公報
【発明の概要】
【発明が解決しようとする課題】
【０００４】
特許文献１は、視度調整ダイヤルのネジ部を回動してＬＣＤパネルと鏡枠の相対位置を変更することで視度を調整することができる。しかしながら、ねじ部だけではＬＣＤパネルの姿勢を保持できない。それ故、ＬＣＤパネルの姿勢を保持するためのガイドを光軸方向に持たせる方式に頼ることになる。嵌合ガタによる倒れを吸収するためには、この嵌合長を確保する必要があり、光軸方向に伸延した構成が必須になり、装置サイズのコンパクト化の点で問題がある。
【０００５】
特許文献２は、自由曲面プリズムの位置を変更することで視度調整を実現していて、表示素子の表示面と直角な面内で自由曲面プリズムを動かすことが可能となっている。光軸方向の移動だけに規制するためにプリズムの両側に設けたフランジ側面がパネルホルダに嵌合する構成をとっているが、厳密に嵌合ガタを取りきることができない。また、所定の視度に調整したあとで固定のためのビスを締めると締め付けるトルクによりプリズムが回転し、パネルとの相対位置関係が崩れ、目標とする視度に調整できないおそれがある。また、ユーザが所望する視度に合わせるためには視度変更をするたびごとにビスを緩め、所望の視度に調整したところで再度ビスを締める作業を要する点でも問題が残る。
【０００６】
本発明は、上記問題に鑑みなされたものであり、表示視度調整を簡易な操作により可能としつつ、小型軽量化を実現する頭部装着型の画像表示装置を提供することにある。
【課題を解決するための手段】
【０００７】
この課題を解決するため、例えば本発明の画像表示装置は以下の構成を備える。すなわち、
表示素子を保持する表示素子保持部と、前記表示素子からの映像を体験者の視覚に導くための光学部と、視度調整のツマミを有する操作部とを有する頭部装着型の画像表示装置であって、
前記操作部と前記表示素子保持部との間の距離を可変に、且つ、前記表示素子保持部を前記操作部に向かう方向に押圧するように支持する支持部材と、
前記操作部と前記表示素子保持部との間に設けられ、前記ツマミの操作に応じて回動可能な視度調整板とを有し、
前記操作部又は前記表示素子保持部は、前記視度調整板側と当接するための少なくとも３つの当接部を有し、
前記表示素子保持部の前記光学部に対する距離が予め設定した目的範囲で変動させるため、前記視度調整板における、前記当接部それぞれと当接する回動する領域が、前記目的範囲に対応する厚みを有する。
【発明の効果】
【０００８】
本発明によれば、高い精度の視度調整を簡易な操作により可能としつつ、小型軽量化を実現できる。
【図面の簡単な説明】
【０００９】
【図１】第１の実施形態の構成を説明する側面図。
【図２】第１の実施形態の構成を説明する中央断面図。
【図３】第１の実施形態の構成を説明する分解斜視図。
【図４】表示パネルホルダを示す図。
【図５】表示プリズムホルダを示す図。
【図６】第１の実施形態の視度調整機構を説明する図。
【図７】第１の実施形態例の視度調整板を示す図。
【図８】第１の実施形態の視度調整ツマミを示す図。
【図９】表示パネルと表示パネルホルダの接続を示す図。
【図１０】表示パネルからユーザの瞳へ導かれる光線の経路を示す図。
【図１１】表示視度調整機構の中立点を示す図。
【図１２】表示視度調整機構が近距離側に調整した時の構成を示す図。
【図１３】表示視度調整機構が遠距離側に調整した時の構成を示す図。
【図１４】第２の実施形態の構成を説明する斜視図。
【図１５】第２の実施形態の視度調整板を示す図。
【図１６】第２の実施形態の視度調整ツマミを示す図。
【図１７】第２の実施形態の視度調整機構を説明する図。
【図１８】第３の実施形態のロック機構を説明する図。
【図１９】第３の実施形態のロック機構のロック状態を説明する図。
【発明を実施するための形態】
【００１０】
以下添付図面に従って本発明に係る実施形態を詳細に説明する。なお、実施形態における画像表示装置は頭部装着型表示装置の代表であるＨＭＤに搭載されるものとして説明する。また、以下に説明する視度調整に係る構造はＨＭＤにおける左右の目の一方に対するものであり、実際は両眼用の２つ設けられるものとして理解されたい。また、実施形態の主眼は、視度調整に係る構造に特徴を有するものであるので、表示に係る回路や制御につては周知のものとし、その説明は省略する。
【００１１】
本実施形態の画像表示装置は以下の説明から明らかになるが、簡単に説明すると、この装置は表示素子を保持する表示素子保持部と、表示素子からの映像を体験者の視覚に導くための光学部と、視度調整のツマミを有する操作部とを収容している。そして、本装置は、操作部と表示素子保持部との間の距離を可変に、且つ、表示素子保持部を操作部に向かう方向に押圧するように支持する支持部材と、操作部と表示素子保持部との間に設けられ、ツマミの操作に応じて回動可能な視度調整板とを有する。そして、操作部又は表示素子保持部は、視度調整板側と当接するための少なくとも３つの当接部を有する。更に、表示素子保持部の光学部に対する距離が予め設定した目的範囲で変動させるため、視度調整板における、回動にて当接部それぞれと当接する領域が、その目的範囲に対応する厚みを有するものである。以下はその具体例である。
【００１２】
［第１の実施形態］
図１は第１の実施形態の構成する画像表示装置の側面図、図２は中央断面図、図３は分解斜視図を示している。
【００１３】
図示における参照符号１は光学部として表示プリズム、参照符号２は表示プリズム１を保持する表示プリズムホルダを示している。この表示プリズムホルダ２は、表示プリズム１とビス１１で締結されている。参照符号３は表示パネルであり、参照符号４は表示パネルホルダである。表示パネル３と表示パネルホルダ４は後述する方法で接着固定されている。参照符号１０は画像表示装置本体である。
【００１４】
図４（ａ），（ｂ）に示す通り、表示パネルホルダ４の表面の３か所に凹部４ａが設けられている。この凹部４ａの内径はボールベアリング５の直径と同じである。また、ボールベアリング５の一部が突出（露出）するため、この凹部４ａの深さはボールベアリング５の半径よりも深く、且つ、直径よりも浅く掘られている。さらにその凹部４ａの表面は十分に滑らかに加工されているので、ボールベアリング５は凹部４ａ内部において低摩擦で回転できる。表示パネルホルダ４の対向する両側面には突起４ｂが設けられている。この突起４ｂは図５で示している表示プリズムホルダ２に設けられている溝部２ａに嵌っている。この突起部４ｂには凹部４ｃが設けられていて、後述する圧縮バネ６の端と当接している。
【００１５】
図５（ａ），（ｂ）は表示プリズムホルダ２の斜視図である。溝部２ａにはボス２ｂが設けられていて、このボス２ｂに圧縮バネ６の一方端が嵌まり、圧縮バネ６が抜けないようになっている。
【００１６】
図６（ａ），（ｂ）は、表示プリズムホルダ２に表示パネルホルダ４を組み付けた状態を示している。表示パネルホルダ４の突起部４ｂの凹部４ｃが、先述した圧縮バネ６の他端と当接している。これにより、表示パネルホルダ４は常に、表示プリズム１から離れる方向であって、表示プリズムホルダ２に圧接（押圧）する方向に付勢されている。また、表示パネルホルダ４には切欠き部４ｄが設けられていて、表示プリズムホルダ２のボス２ｃと嵌合している。このボス２ｃと溝部２ａは表示パネル３の表示面に対して垂直方向に伸延しているので、表示パネルホルダ４と表示プリズムホルダ２は、互いに、表示パネル３の表示面に対して垂直方向にのみ自由に動くことができる。表示パネルホルダ４と表示プリズムホルダ２の間には、円形リング状の回転自在な視度調整板７が介在している。
【００１７】
図７は、本実施形態における視度調整板７の構成を示している。視度調整板７の表面には、その厚みが３段の階段状の当接部７ａが３カ所に設けられている。この３つの当接部７ａは、円周状等間隔であって、円周の中心から１２０度の等間隔に配置されている。この視度調整板７の階段状に設けられている当接部７ａ（３つ）に対してボールベアリング５（３つ）がそれぞれ当接する。圧縮バネ６のバネ付勢により視度調整板７、ボールベアリング５そして表示パネルホルダ４は常に密着するように圧接している。視度調整板７の裏面側は表示プリズムホルダ２と低摩擦で回動できるように、不図示の凸部が円周と同軸に設けられていて密着している。視度調整板７の中央部には円形状の穴７ｂがあいていて、その一部はギア歯７ｃが形成されている。ギア歯７ｃが形成されている円周に沿った角度範囲は、階段状の当接部７ａの円周に沿った角度範囲とほぼ同じである。ギア歯７ｃ以外の円周部は図５で示されている表示プリズムホルダ２のフランジ部２ｄに嵌合していて、回動可能になっている。また、表示プリズムホルダ２には円形の穴部２ｅが開いていて、視度調整ツマミ８が嵌っている。
【００１８】
図８は視度調整ツマミ８を示した図である。視度調整ツマミ８の一端にはユーザがつまんで回転させる操作部８ａと、他端にはギア歯８ｂとで構成されている。このギア歯８ｂは視度調整板７のギア歯７ｃと噛み合っていて、視度調整ツマミ８を操作し回転させたときに回転力を視度調整板７に伝達している。視度調整ツマミ８の操作部表面には、ユーザに遅滞して現在のツマミが回転した角度を視認させるためのマークとしての切欠き溝８ｃが設けられている。
【００１９】
図９に示す通り、表示パネルホルダ４には開口部４ｅが設けられていて、そこに表示パネル３の表示面をカバーするカバーガラス部３ａの外形部が嵌まる。表示パネル３と表示パネルホルダ４の相対位置関係は調整されたうえで接着固定されている。つまり、表示パネル３の表示面上の水平垂直ラインと表示パネルホルダ４の位置基準となる突起部４ｂと切欠き部４ｄの位置が、所定の決められた寸法で調整されている。表示パネル３の表示面はマトリクス状の発光体が整列していて、画像信号を表示パネル３裏面の基板で受け取ると空間変調処理を行った後に、各発光体に発光信号が渡され、表示画像として視認可能な処理が施される。
【００２０】
図１０は表示パネル３と表示プリズム１で構成される表示光学系を模式的に表した図で、表示パネル３上から発せられた光線がユーザに到達するまでの経路を二点鎖線で表している。表示パネル３の表示面から発せられる光線は表示プリズム１の自由曲面Ｃ面１ｃに入射される。その後、Ｃ面１ｃで屈折をし、光路が曲げられた後、自由曲面Ａ面１ａに到達する。Ａ面１ａと光線との入射角が深いため、Ａ面１ａにおいて、光線は全反射する。そして、そのＡ面１ａでの反射光は自由曲面Ｂ面１ｂに到達する。Ｂ面１ｂと光線との入射角は浅いため、光線は全反射しない。しかしながら、自由曲面Ｂ面１ｂの表面はアルミ箔膜が蒸着処理されている。このため、Ｂ面１ｂにおいて光線は反射率８０％以上で反射する。反射した光線はそのまま自由曲面Ａ面１ａへと進み、Ａ面１ａで射出し、射出した後、自由曲面Ａ面１ａからおよそ２０ｍｍ離れた点で射出瞳１ｄを形成している。表示パネル３に表示された画像は表示プリズム１を通して拡大表示され、ユーザは広画角の映像を観察することができる。このとき、ユーザの眼球にある瞳孔とこの射出瞳１ｄの位置が一致したときに表示パネル３の画像を最もよく観察することができる。なお、本実施形態では射出瞳１ｄの位置をＡ面１ａから２０ｍｍの位置としているが、その限りではなく、眼鏡などの使用を考慮して実使用上問題ない距離に設計するのが望ましい。
つぎに、ユーザが視度調整ツマミ８をＣＷ方向（時計回り方向）に回転させ、近距離視度に変更するときの場合を説明する。図１１（ａ）乃至（ｃ）は初期状態の視度調整ツマミ８と表示プリズムホルダ２、視度調整板７の位置関係を示した図である。この初期状態からユーザが手元付近の対象物を観察するために、近距離側視度に変更調整する場合は、視度調整ツマミ８をＣＷ方向に回動し、「ＮＥＡＲ」側に操作ツマミの切欠き部を合わせる。視度調整ツマミ８をＣＷ方向に回動した状態を図１２(ａ)乃至（ｃ）に示す。視度調整ツマミ８をＣＷ方向に回動すると視度調整ツマミ８の回転軸端にあるギア歯８ｂを介して回転力が視度調整板７に伝わり視度調整板７もＣＷ方向に回動する。前述の通り、表示パネルホルダ４は表示プリズムホルダ２に対して垂直方向にのみ動くことができる。このため、視度調整板７が回動すると、視度調整板７と当接しているボールベアリング５は相対的に位置がずれ、視度調整板７に設けられている３つの階段状の当接部７ａのうち、段が一番高い面と当接することになる。つまり、視度調整板７と表示パネル３とは離れる方向に移動することになり、その結果、表示パネル３と表示プリズム１の空気間隔は狭まり、近距離側に視度を合わせることになる。
【００２１】
つぎに、ユーザが視度調整ツマミ８をＣＣＷ方向（反時計回り方向）に回転させ、遠距離視度に変更するときの場合を説明する。
【００２２】
ユーザが遠く離れた対象物を観察するために、遠距離側視度に変更調整する場合は、視度調整ツマミ８をＣＣＷ方向に回動し、「ＦＡＲ」側に操作ツマミの切欠き部を合わせる。視度調整ツマミ８をＣＣＷ方向に回動した状態を図１３(ａ)乃至（ｃ）に示す。視度調整ツマミ８が回動すると視度調整板７が回転する。このとき回転位相に応じて視度調整板７に設けている階段位置と表示パネルホルダ４の視度方向位置を決めるボールベアリング５を保持する部位との相対位置が変更され、このとき階段は初期状態よりも一段低い位置が選択される。つまり、視度調整板７と表示パネル３とは狭まる方向に移動することになり、その結果、表示パネル３と表示プリズム１の空気間隔は広がり、遠距離側に視度を合わせることになる。
【００２３】
上記説明からわかるように、実施形態における視度調整ツマミ８をユーザが回動すると、表示パネル３が、表示プリズム１に対して相対的に図１０の矢印１００に沿ってその位置を変更できることになる。しかも、表示パネルホルダ４は、圧縮バネ６の作用で、視度調整板７上の等間隔の３点の位置で圧接している。それ故、上記の相対移動におけるガタツキの発生も抑制でき、且つ、相対移動に係る構造もコンパクトにできる。
【００２４】
本実施形態において、初期位置（中央位置）、「ＮＥＡＲ」，「ＦＡＲ」の３つの段数で視度調整機構を説明したが、調整する段数は３に限定するものではなく、２段以上の複数の調整点を持っていればよい。
【００２５】
なお、上記実施形態では、凹部４ａを表示パネルホルダ４に設けるものとして説明したが、表示プリズムホルダ２側に設けるようにしても良い。要するに、視度調整板７の回動に従って、その厚みの変化に応じて、表示プリズムホルダ２と表示パネルホルダ４との間の距離が変化すればよい。
【００２６】
また、実施形態では、凹部４ａの数を３つとしたが、４つ以上であっても構わない。ただし、平面は３点で規定できる。製造上の誤差を加味した場合には、３つとすることが望ましい。
【００２７】
［第２の実施形態］
図１４（ａ），（ｂ）は、実施形態が適用するＨＭＤの片目に相当する主要部の構成を示す斜視図である。本第２の実施形態は第１の実施形態とほぼ同じ構成をとっている。そのため、第１の実施形態と同一の機能部品には同一の参照符号を付与している。
【００２８】
図１５は第２の実施形態における視度調整板７の斜視図である。図示の如く、第２の実施形態における視度調整版７に設けられる３カ所の当接部７ａは、第１の実施形態と同じく、視度調整板７の中心から互いに１２０度の等間隔に位置しており、且つ、側面から見た厚みが表す形状はテーパ状（無段階で厚みが変わる構造）を成している。この視度調整板７のテーパ状の当接部７ａに対してボールベアリング５が当接する。圧縮バネ６のバネ付勢により視度調整板７、ボールベアリング５そして表示パネルホルダ４は常に密着している。視度調整板７の裏面側は表示プリズムホルダ２と低摩擦で回動できるように凸部が円周と同軸に設けられていて密着している。視度調整板７の中央部には円形状の穴７ｂが開いていて、その一部はギア歯７ｃが形成されている。ギア歯７ｃが形成されている範囲はテーパ状の当接部７ａとほぼ同じ角度になっている。ギア歯７ｃ以外の円周部は図５で示されている表示プリズムホルダ２のフランジ部２ｄに嵌合していて、回動可能になっている。また、表示プリズムホルダ２には円形の穴部２ｅ（図５参照）が開いていて、視度調整ツマミ８が嵌っている。
【００２９】
図１６（ａ）乃至（ｃ）は、第２の実施形態における視度調整ツマミ８の構造を示し、図１７は第２の実施形態の視度調整機構を示している。
【００３０】
本第２の実施形態における視度調整ツマミ８には、ロック部８ｅを設けている。このロック部８ｅは、表示プリズムホルダ２の円形穴部２ｅに対して自然状態で摩擦力が働くように意図的に径を大きくしている。ロック解除部８ｄを押しこむことでロック部８ｅが中心軸方向へ撓み、表示プリズムホルダ２の円形の穴部２ｅとの摩擦力を解除することができる。つまり、ロック解除部８ｄを押さない限り、表示プリズムホルダ２の円形の穴部２ｅとロック部８ｅは摩擦力が働いて、視度調整ツマミ８の回転位置は固定に維持できる。
【００３１】
以上の構成で、ユーザが視度調整ツマミ８のロック解除部８ｄを押しながらＣＷ方向に回転させ、近距離視度に変更するときの場合を説明する。ユーザが手元付近の対象物を観察するために、近距離側視度に調整する場合は、視度調整ツマミ８をＣＷ方向に回動し、「ＮＥＡＲ」側に操作ツマミを操作する。このとき、視度調整ツマミ８の回転角度に応じて視度調整板７のテーパ状の当接部７ａとボールベアリング５と当接する部位が変化し、徐々に表示プリズム１と表示パネル３の距離が接近してくる。このため、表示視度は視度調整ツマミ８の回転に応じて近距離側になり、ユーザが所望する任意の表示視度を選択することができる。所望する表示視度を選択した後は視度調整ツマミ８のロック解除部８ｄを離すことで、ロック部８ｅと表示プリズムホルダ２の穴部２ｅとが接触し、摩擦力が働く。これにより視度調整ツマミ８の回転規制が掛かり、所望の表示視度に固定することができる構造になっている。
【００３２】
つぎに、ユーザが視度調整ツマミ８のロック解除部８ｄを押しながらＣＣＷ方向に回転させ、遠距離視度に変更するときの場合を説明する。ユーザが手元付近の対象物を観察するために、遠距離側視度に調整する場合は、視度調整ツマミ８をＣＣＷ方向に回動し、「ＦＡＲ」側に操作ツマミを操作する。このとき、視度調整ツマミ８の回転角度に応じて視度調整板７のテーパ状の当接部７ａとボールベアリング５と当接する部位が変化し、徐々に表示プリズム１と表示パネル３の距離が離れる。このため、表示視度は視度調整ツマミ８の回転に応じて遠距離側になり、ユーザが所望する任意の表示視度を選択することができる。所望する表示視度を選択した後は視度調整ツマミ８のロック解除部８ｄを離すことで、ロック部８ｅと表示プリズムホルダ２の穴部２ｅとが接触し、摩擦力が働く。これにより視度調整ツマミ８の回転規制が掛かり、所望の表示視度に固定することができる構造になっている。
【００３３】
上記説明からわかるように、本第２の実施形態によれば、第１の実施形態に示した作用効果に加えて、視度を無段階で調整でき、且つ、その位置をロックすることが可能となる。
【００３４】
［第３の実施形態］
図１８（ａ），（ｂ）は第３の実施形態を構成する図であり、第２の実施形態で示したロック部に係る構成を別部品で構成したものである。そのため、第２の実施形態と同一の機能部品には同一参照符号を付与し、その説明は省略する。
【００３５】
図１８（ａ），（ｂ）における参照符号９は、表示パネル移動を規制し、位置を固定する表示パネルロックレバーで視度調整固定するためのパネルロック部である。
【００３６】
表示パネルロックレバー９には回転中心穴９ａとカム溝９ｂが設けられていて、それぞれ表示プリズムホルダ２側面から伸延している２本の軸２ｆ、２ｇに嵌っている。図１８（ａ）、（ｂ）で示されている状態はロック解除状態になっている。表示パネルロックレバー９に設けられているカム溝９ｂは２本の軸２ｆと２ｇの軸間距離を徐々に短くするように形成されていて、ユーザが表示パネルロックレバー９を倒す操作すると、図１９に示すように、表示パネルホルダ４をガイドする突起４ｂが嵌っている溝部２ａの空間を狭める作用が働く。したがって、表示パネルホルダ４の突起４ｂは案内ガイドされている溝部２ａで挟まれる構成になり、表示パネルホルダ４は移動できなくなる。
【００３７】
以上の構成で、ユーザが視度調整ツマミ８の表示パネルロックレバー９を解除し、ＣＷ方向に回転させ、近距離視度に変更するときの場合を説明する。ユーザが手元付近の対象物を観察するために、近距離側視度に調整する場合は、視度調整ツマミ８をＣＷ方向に回動し、「ＮＥＡＲ」側に操作ツマミを操作する。このとき、視度調整ツマミ８の回転角度に応じて視度調整板７のテーパ状の当接部７ａとボールベアリング５と当接する部位が変化し、徐々に表示プリズム１と表示パネル３の距離が接近してくる。このため、表示視度は視度調整ツマミ８の回転に応じて近距離側になり、ユーザが所望する任意の表示視度を選択することができる。所望する表示視度を選択した後、表示パネルロックレバー９を操作し、表示パネルホルダ４の位置を固定することで所望の表示視度に固定することができる構造になっている。
【００３８】
以上説明した第３の実施形態でも、先に説明した第２の実施形態と同様の作用効果を奏することができる。
【符号の説明】
【００３９】
１…表示プリズム、２…表示プリズムホルダ、３…表示パネル、４…表示パネルホルダ、５…ボールベアリング、６…圧縮バネ、７…視度調整板、８…視度調整ツマミ、９…ロックレバー、１０…ＨＭＤ、１１…ビス
【図１】
2018106000.tif 000003
【図２】
2018106000.tif 000004
【図３】
2018106000.tif 000005
【図４】
2018106000.tif 000006
【図５】
2018106000.tif 000007
【図６】
2018106000.tif 000008
【図７】
2018106000.tif 000009
【図８】
2018106000.tif 000010
【図９】
2018106000.tif 000011
【図１０】
2018106000.tif 000012
【図１１】
2018106000.tif 000013
【図１２】
2018106000.tif 000014
【図１３】
2018106000.tif 000015
【図１４】
2018106000.tif 000016
【図１５】
2018106000.tif 000017
【図１６】
2018106000.tif 000018
【図１７】
2018106000.tif 000019
【図１８】
2018106000.tif 000020
【図１９】
2018106000.tif 000021